(57)【要約】【課題】  麻雀の持ち点を自動的に計数・表示する。【解決手段】  点数棒を収納する箱に取り付けられた重量測定器あるいは電気的測定器により点数棒の重量あるいは電気的性質の量を計測し、計測された量により持ち点数を算出する。【選択図】        図１
2004188222.tif 000002
【特許請求の範囲】
【請求項１】
１万点棒，５千点棒，千点棒及び百点棒を含む麻雀用点数棒セットであって、前記１万点棒と５千点棒からなり各々の点数棒が有する性質の量が異なる第１のグループと、千点棒と百点棒からなり各々の点数棒が有する性質の量が異なる第２のグループに区分された麻雀用点数棒セット。
【請求項２】
前記第１のグループに区分された１万点棒と５千点棒の各々の点数棒が有する性質の量の比が各々の点数に比例する２対１である、請求項１の麻雀用点数棒セット。
【請求項３】
さらに、前記第２のグループに区分された千点棒と百点棒の点数棒が有する性質の量の比が各々の点数に比例する１０対１である、請求項２の麻雀用点数棒セット。
【請求項４】
前記２対１に比例する性質の量が重量である、請求項２の麻雀用点数棒セット。
【請求項５】
前記１０対１に比例する性質の量が重量である、請求項３の麻雀用点数棒セット。
【請求項６】
前記２対１に比例する性質の量が電気的量である、請求項２の麻雀用点数棒セット。
【請求項７】
前記１０対１に比例する性質の量が電気的量である、請求項３の麻雀用点数棒セット。
【請求項８】
１万点棒と５千点棒からなり各々の点数棒が有する性質の量が異なる第１のグループと、千点棒と百点棒からなり各々の点数棒が有する性質の量が異なる第２のグループに区分された麻雀用点数棒を用い、前記点数棒を収容する点数棒箱をゲーム者毎に備える麻雀卓であって、
前記点数棒箱が前記第１のグループを収納する区分を有し、前記区分に前記点数棒が有する性質の量を検出するセンサを設けた、麻雀用点数棒セットを用いる麻雀卓。
【請求項９】
１万点棒，５千点棒，千点棒及び百点棒を含む麻雀用点数棒セットであって、前記各々の点数棒が有する性質の量が全て同じである、麻雀用点数棒セット。
【請求項１０】
前記性質の量が重量である、請求項９の麻雀用点数棒セット。
【請求項１１】
前記性質の量が電気的量である、請求項９の麻雀用点数棒セット。
【請求項１２】
１万点棒，５千点棒，千点棒及び百点棒を含む麻雀用点数棒が有する性質の量が全て同じである麻雀用点数棒セットを用い、前記点数棒を収容する点数棒箱をゲーム者毎に備える麻雀卓であって、
前記点数棒箱が前記１万点棒，５千点棒，千点棒及び百点棒各々を収納する区分を有し、前記区分に前記点数棒が有する性質の量を検出するセンサを設けた、麻雀用点数棒セットを用いる麻雀卓。
【請求項１３】
１万点棒，５千点棒，千点棒及び百点棒を含む麻雀用点数棒セットであって、前記各々の点数棒が有する性質の量の比が各々の点数に比例している、麻雀用点数棒セット。
【請求項１４】
前記性質の量が重量である、請求項１３の麻雀用点数棒セット。
【請求項１５】
前記性質の量が電気的量である、請求項１３の麻雀用点数棒セット。
【請求項１６】
１万点棒，５千点棒，千点棒及び百点棒を含む麻雀用点数棒セットであって、前記各々の点数棒が有する性質の量の比が各々の点数に比例している麻雀用点数棒セットを用い、前記点数棒を収容する点数棒箱をゲーム者毎に備える麻雀卓であって、
前記点数棒箱が１個の区分のみを有し、前記１個の区分に前記点数棒が有する性質の量を検出するセンサを設けた、麻雀用点数棒セットを用いる麻雀卓。
【発明の詳細な説明】
【技術分野】
【０００１】
本発明は、麻雀において各ゲーム者の持ち点を自動的に計数する麻雀点数計数方式に係るものである。
【背景技術】
【０００２】
手指先を使用し、ゲームの内容に変化がある麻雀は、最近高齢者の老化防止とリクリエーションを兼ねたものとして注目されている。
麻雀においてゲーム自体ではないにもかかわらず行う必要がある動作として麻雀牌のセッティングがあるが、このセッティングは比較的やっかいなため最近は自動機による自動セッティングが普及している。
この自動機は、高価なため一般的には営業用に用いられているが、各種動作を行うことが困難になりつつある高齢者が麻雀を行うためには非常に有用である。
【０００３】
一方、ゲームの進行に重要な事項であるにも拘らず、ゲームを行なっている者各々の持ち点は、このような自動機の普及という状況下においても、各自が計数して口頭で申告しており、各自の持ち点を自動的に計数する装置は存在しない。
【発明の開示】
【発明が解決しようとする課題】
【０００４】
本発明は、このような事情に対処してなされたものであり、麻雀ゲームにおいて、ゲーム進行に合わせてゲーム者４人それぞれの持ち点を自動的に計数する装置を提供することを課題とする。
【課題を解決するための手段】
【０００５】
上記課題を解決するために本願においては、「点数棒を収納する箱に取り付けられた重量測定器により点数棒の重量を検出し、該点数棒の重量により持ち点数を算出することを特徴とする麻雀点数計数方式」であることを構成とする発明を提供する。
【動作】
【０００６】
上記のような構成を有する本願発明の麻雀点数計数方式にあっては、各ゲーム者の点数棒の重量を計測することにより各点数棒の数を計数して持ち点を算出する。
【実施例】
【０００７】
図を用いて本願発明の実施例を説明する。
図１に示すのは、本願発明の麻雀点数計数方式を説明するための概念図であって、１，２，３，４は点数棒箱、５，６，７，８は点数棒の重量を計測するための圧力センサ、９は点数棒、１０は圧力センサによって計測した点数棒の重量を持ち点数として計算する中央処理装置、１１，１２，１３，１４は各ゲーム者の持ち点を表示するＬＥＤ等からなる表示装置である。
【０００８】
各圧力センサ５，６，７，８は、点数棒の重量に応じた圧力信号を中央処理装置１０に送り、中央処理装置１０は各圧力センサから送られてきた圧力信号を処理して各ゲーム者の持ち点を計数し、その結果を表示装置１１，１２，１３，１４に表示する。
【０００９】
圧力センサ５，６，７，８からの圧力信号は、誤差を除去するためにＡ／Ｄ変換器によりディジタル化されたものを中央処理装置１０に送るように構成することが望ましい。
【００１０】
なお、各点数棒箱の重量を計測し点数に換算して各々表示しているが、この表示は、必要なときにのみ表示するようにすることも可能である。
【００１１】
また、ゲーム者全員の持ち点の合計をチェックする機能を備えるようにし、持ち点の合計が異常な時には警報を発するようにすれば、点数棒の紛失を容易に知ることができ、点数棒箱を空にした状態において、表示装置の表示を０点にする機能を付加すれば、持ち点表示に対する信頼度が高くなる。
【００１２】
図２に示すのは、本願発明を麻雀卓に適用した実施例である。
この麻雀卓は、通常の自動機に本発明の麻雀点数計数方式を適用したものであって、各点数棒箱１，２，３，４に点数棒の重量を計測する圧力センサ５，６，７，８が取り付けられており、その圧力信号が麻雀卓に装着された中央処理装置１０に送られ、その結果の持ち点が各ゲーム者に面して設けられている表示装置１１，１２，１３，１４に表示される。
【００１３】
図３〜図５により、点数棒と圧力センサの対応関係を示す。
麻雀において用いられる点数棒は一万点棒、五千点棒、千点棒及び百点棒の４種類であり、通常は２ｇである。
【００１４】
図３に示すのは第１の例であって、（ａ）に示すように、例えば一万点棒を１００ｇ、五千点棒を５０ｇ、千点棒を１０ｇ、百点棒を１ｇとこれらの点数棒の重量を点数に比例したものとするとともに、（ｂ）に示すように、各点数棒箱に１個のセンサーを設ける。
このようにすれば、点数棒の合計重量×１００が持ち点数となる。
また、ここで用いる圧力センサは、最大秤量１２００ｇ，精度  ±０.０１ｇ／１ｇ，±３ｇ／３００ｇ程度のものを用いる。
【００１５】
図４に示すのは第２の例であって、４種類の点数棒を、例えば（ａ）に示すように、一万点数棒と五千点棒からなる第１グループと千点棒と百点棒からなる第２グループの２個のグループに区分し、第１グループ内の一万点棒を２ｇ、五千点棒を１ｇ、第２グループ内の千点棒を１０ｇ、百点棒を１ｇとして、各グループ内において点数棒の重量を点数に比例したものとするとともに、（ｂ）に示すように各点数棒箱にグループに対応する２個のセンサーを設ける。
【００１６】
また、ここで用いる圧力センサは、第１グループ用は分解能１ｇ，最大秤量１６ｇ，精度±０.０５ｇ／１ｇ，±０.８ｇ／１６ｇ程度のものを用い、第２グループ用は最大秤量１４０ｇ，精度±０.０１ｇ／１ｇ，±１.４ｇ／１４０ｇ程度のものを用いる。
この例の場合は、重量を検出するための圧力センサが点数棒箱毎に２個となり、ゲーム者は点数棒を２グループに区分して点数棒箱に収容する必要があるが、点数棒の重量比及び圧力センサの精度を第１の例の場合に比して小さなものとすることができる。
【００１７】
図５に示すのは第３の例であって、点数棒の重量を、例えば（ａ）に示すように全種類２ｇと同一とするとともに（ｂ）に示すように各点数棒箱に４個の圧力センサを設ける。
この例の場合は、重量を検出するための圧力センサが点数棒箱毎に４個となり、ゲーム者は点数棒を種類毎に区分して点数棒箱に収容する必要があるが、点数棒として従来のものをそのまま使用することが可能である。
また、ここで用いる各圧力センサは、最大秤量８０ｇ，精度±０.０２ｇ／１ｇ，±１.６ｇ／８０ｇ程度のものを用いる。
【００１８】
この他、点数棒の形状・太さ・長さ等の外形、電気的性質あるいは磁気的性質を種々変化させれば、自動販売機等に用いられている硬貨選別機構を点数棒の計数に応用することができる。
【産業上の利用可能性】
【００１９】
以上の説明から明らかなように、本発明の麻雀点数計数方式は既存の麻雀卓の点数棒箱にセンサ、中央処理装置及び表示装置を取り付けただけのものであるから、既存の麻雀卓に簡易な改造を施すことにより容易に実施することができる。  また、本発明の麻雀点数計数方式は点数棒の重さを測定し、それを点数に換算するから、構造的、経済的、即時性の点で優れている。
そして、対戦者の持ち点及び自分の持ち点を簡単に把握することができるからゲームの楽しさが倍加する。
【図面の簡単な説明】
【００２０】
【図１】本願発明の概念図
【図２】本願発明を麻雀卓に適用した実施例の説明図
【図３】第１の例の説明図
【図４】第２の例の説明図
【図５】第３の例の説明図
【符号の説明】
【００２１】
１〜４  点数棒箱
５〜８  圧力センサ
９  点数棒
１０  中央処理装置
１１〜１４  表示装置
【図１】
2004188222.tif 000003
【図２】
2004188222.tif 000004
【図３】
2004188222.tif 000005
【図４】
2004188222.tif 000006
【図５】
2004188222.tif 000007
【手続補正書】
【提出日】平成16年4月5日(2004.4.5)
【手続補正１】
【補正対象書類名】特許請求の範囲
【補正対象項目名】全文
【補正方法】変更
【補正の内容】
【特許請求の範囲】
【請求項１】
１万点棒，５千点棒，千点棒及び百点棒を含む麻雀用点数棒セットであって、前記１万点棒と５千点棒からなり各々の麻雀用点数棒が有する性質の量が異なる第１のグループの麻雀用点数棒と、千点棒と百点棒からなり各々の麻雀用点数棒が有する性質の量が異なる第２のグループの麻雀用点数棒を有する、麻雀用点数棒セット。
【請求項２】
前記第１のグループの麻雀用点数棒の１万点棒と５千点棒の各々の麻雀用点数棒が有する性質の量の比が、各々の点数に比例する２対１である、請求項１の麻雀用点数棒セット。
【請求項３】
さらに、前記第２のグループの麻雀用点数棒の千点棒と百点棒の麻雀用点数棒が有する性質の量の比が、各々の点数に比例する１０対１である、請求項２の麻雀用点数棒セット。
【請求項４】
前記２対１に比例する性質の量が、重量である、請求項２の麻雀用点数棒セット。
【請求項５】
前記１０対１に比例する性質の量が、重量である、請求項３の麻雀用点数棒セット。
【請求項６】
前記２対１に比例する性質の量が、電気的量である、請求項２の麻雀用点数棒セット。
【請求項７】
前記１０対１に比例する性質の量が、電気的量である、請求項３の麻雀用点数棒セット。
【請求項８】
１万点棒と５千点棒からなり各々の麻雀用点数棒が有する性質の量が異なる第１のグループの麻雀用点数棒と、千点棒と百点棒からなり各々の麻雀用点数棒が有する性質の量が異なる第２のグループの麻雀用点数棒を用い、前記麻雀用点数棒を収容する点数棒箱をゲーム者毎に備え、
前記点数棒箱が、前記第１のグループを収納する区分を有し、前記区分に前記麻雀用点数棒が有する性質の量を検出するセンサを設けた、麻雀卓。
【請求項９】
１万点棒，５千点棒，千点棒及び百点棒を含む麻雀用点数棒セットであって、前記各々の麻雀用点数棒が有する性質の量が、全て同じである、麻雀用点数棒セット。
【請求項１０】
前記性質の量が、重量である、請求項９の麻雀用点数棒セット。
【請求項１１】
前記性質の量が、電気的量である、請求項９の麻雀用点数棒セット。
【請求項１２】
１万点棒，５千点棒，千点棒及び百点棒を含む麻雀用点数棒が有する性質の量が全て同じである麻雀用点数棒セットを用い、前記点数棒を収容する点数棒箱をゲーム者毎に備え、
前記点数棒箱が、前記１万点棒，５千点棒，千点棒及び百点棒各々を収納する区分を有し、前記区分に前記麻雀用点数棒が有する性質の量を検出するセンサを設けた、麻雀卓。
【請求項１３】
１万点棒，５千点棒，千点棒及び百点棒を含む麻雀用点数棒セットであって、前記各々の麻雀用点数棒が有する性質の量の比が、各々の点数に比例している、麻雀用点数棒セット。
【請求項１４】
前記性質の量が、重量である、請求項１３の麻雀用点数棒セット。
【請求項１５】
前記性質の量が、電気的量である、請求項１３の麻雀用点数棒セット。
【請求項１６】
１万点棒，５千点棒，千点棒及び百点棒を含む麻雀用点数棒セットであって、前記各々の麻雀用点数棒が有する性質の量の比が、各々の点数に比例している麻雀用点数棒セットを用い、前記麻雀用点数棒を収容する点数棒箱をゲーム者毎に備え、
前記点数棒箱が、１個の区分のみを有し、前記１個の区分に前記点数棒が有する性質の量を検出するセンサを設けた、麻雀卓。